(57)【要約】【課題】  理容師の指間刈りのためにはさみと櫛を左右の手に頻繁に持ち替えたり片手で両者を頻繁に操作することを不要にする。【解決手段】  一対のはさみ構成体１０、２０のうちの一方のはさみ構成体２０の刃渡り部２２の背部２３に櫛４０及び防止体５０を設けて、右手の親指を指間刈り用髪切りばさみ１の環状部１１にいれ薬指を環状部２１にいれて指間刈り用髪切りばさみ１を持ったまま、一方のはさみ構成体２０の背部２３に設けられた櫛４０で髪の毛をすくい、この櫛４０ですくった髪の毛を反対の左手の人差し指と中指で櫛４０の下側で挟むように持ち、この髪の毛から櫛４０をはずし、交叉する刃渡り部１２、２２で人差し指と中指で挟み持った髪の毛をはさみで切る。櫛４０を使う時に髪の毛の刃渡り部１２、２２間への進入が防止体５０によって防がれる。【選択図】        図１
2005198848.tif 000002
【特許請求の範囲】
【請求項１】
回動自在に連結された一対のはさみ構成体のうちの一方の前記はさみ構成体の刃渡り部の背部に、櫛を設けると共に、前記一対のはさみ構成体の刃渡り部間への髪の毛の進入を防ぐ防止体を設けたことを特徴とする指間刈り用髪切りばさみ。
【請求項２】
回動自在に連結された一対のはさみ構成体のうちの一方の前記はさみ構成体の刃渡り部の背部に、前記一対のはさみ構成体の刃渡り部間への髪の毛の進入を防ぐ防止体を備えた櫛を設けたことを特徴とする指間刈り用髪切りばさみ。
【請求項３】
回動自在に連結された一対のはさみ構成体のうちの一方の前記はさみ構成体の刃渡り部の背部に、前記一対のはさみ構成体の刃渡り部間への髪の毛の進入を防ぐ屈曲部を備えた櫛を設けたことを特徴とする指間刈り用髪切りばさみ。
【請求項４】
回動自在に連結された一対のはさみ構成体のうちの一方の前記はさみ構成体の刃渡り部の背部の内面に、櫛を設けたことを特徴とする指間刈り用髪切りばさみ。
【請求項５】
回動自在に連結された一対のはさみ構成体のうちの一方の前記はさみ構成体の刃渡り部の背部に、櫛を設けると共に、この刃渡り部の背部の先端内面側に突出部を設けたことを特徴とする指間刈り用髪切りばさみ。
【発明の詳細な説明】
【技術分野】
【０００１】
本発明は理容店などで頭の髪の毛を切るための指間刈り用のはさみ及び櫛に関するものである。
【背景技術】
【０００２】
理容師などが髪の毛を切る技法の一つに指間刈りというものがある。この技法は職人の個人差はあるが、主に次の二通りに大別される。（以下右ききの場合で説明する。）
【０００３】
（イ）櫛とはさみを一緒に右手で持つ。即ち、はさみは連結軸で回動自在に連結された一対のはさみ構成体から成り、各はさみ構成体は一端側に指をいれる環状部を備えているが、親指を一方の環状部にいれ、薬指を他方の環状部にいれて、人差し指の腹で環状部と連結軸の中間部を外側から押さえてはさみを持ち、人差し指の背、中指の腹、薬指の背、子指の腹と交互に櫛を挟んで支持する。この状態で櫛で頭の髪の毛をすくい、この櫛ですくった髪の毛を反対の左手の人差し指と中指で櫛の下側で挟むように持ち、櫛を髪の毛からはずし、切るのに邪魔にならないように、右手で持っていた櫛を髪の毛を挟んで持っている左手の親指と人差し指の間に挟むように持ち替え、右手で持っているはさみで左手の人差し指と中指の間に挟んでいる髪の毛を切る。以下この手順を繰り返す。
【０００４】
（ロ）櫛とはさみを一緒に右手で持ち（持ち方は上記（イ）と同じ）、櫛で髪をすくい、反対の左手の人差し指と中指で櫛の下側で髪の毛を挟むように持ち、櫛を髪の毛からはずし、櫛を右手から左手に持ち替えず、切るのにじゃまにならないように櫛を右手の指先で器用に操作して右手で持っているはさみで髪の毛を切る。以下この手順を繰り返す。
【発明の開示】
【発明が解決しようとする課題】
【０００５】
しかしながら、このように理容師の指間刈りの技法では、櫛を右手と左手で頻繁に持ち替えたり、あるいは右手の指先を器用に操作して櫛とはさみを交互に使ったりするため、櫛をしばしば床に落としやすく、床に落とすことは衛生的にも問題があり、また、床に落とした櫛はそのまま再使用がはばかれるため櫛を交換しなければならず、理容上の労力面でも問題があった。
【０００６】
このような問題を解決するため、本発明者は特願２００２−１７８３１３、特願２００２−３２１３４３において、回動自在に連結された一対のはさみ構成体のうちの一方のはさみ構成体の刃渡り部の背部に、櫛を設けた指間刈り用髪切りばさみを提案した。
【０００７】
この指間刈り用髪切りばさみでは、右ききの場合で説明すると、右手ではさみを持ち、一方のはさみ構成体の刃渡り部の背部に設けられた櫛で髪の毛をすくい、この櫛ですくった髪の毛を反対の左手の人差し指と中指で櫛の下側で挟むように持ち、この髪の毛から櫛をはずして人差し指と中指で挟み持った髪の毛をはさみで切ればよい。従って、従来のように別体のはさみと櫛を右手で一緒に持ったり、櫛を右手と左手に頻繁に持ち替えたり、指先を器用に操作してはさみと櫛を交互に使ったりする必要がなくなるので、櫛を床に落としたり、櫛を交換したりする必要がなくなる。
【０００８】
はさみは切れ味を増すため、図８に示すように一対のはさみ構成体１０、２０の各刃渡り部はどの交叉角度でも強く互いに密着状態になるように僅かに湾曲している。そのため一対のはさみ構成体１０、２０を閉じた状態では、図８に示すように真横から見ると、一対の刃渡り部の先端部１０ａ、２０ａ同士が強く接触し、中間部では、一対の刃渡り部の間に隙間Ｃがあいている。
【０００９】
このため、はさみを閉じた状態ではさみ構成体の背部に設けられた櫛で髪の毛をすくうと、一対の刃渡り部の間の隙間Ｃに髪の毛がはいって引っかかるという不都合があった。
本発明はこのような問題を解決した指間刈り用髪切りばさみを提供することを目的としている。
【課題を解決するための手段】
【００１０】
前記目的を達成するために本発明の請求項１の指間刈り用髪切りばさみでは、図１、２あるいは図３に示すように、
回動自在に連結された一対のはさみ構成体１０、２０のうちの一方の前記はさみ構成体の刃渡り部の背部に、櫛４０を設けると共に、前記一対のはさみ構成体の刃渡り部間への髪の毛の進入を防ぐ防止体５０（５５）を設けたことを特徴としている。
【００１１】
このため、別体のはさみと櫛を右手で一緒に持ったり、櫛を右手と左手に頻繁に持ち替えたり、指先を器用に操作してはさみと櫛を交互に使ったりする必要がなくなり、櫛を床に落としたり、櫛を交換したりする必要がなくなるばかりでなく、櫛４０で髪の毛をすくう時に防止体５０（５５）によって一対のはさみ構成体の刃渡り部間へ髪の毛の進入が防がれる。
【００１２】
また、本発明の請求項２の指間刈り用髪切りばさみでは、図４に示すように、
回動自在に連結された一対のはさみ構成体１０、２０のうちの一方の前記はさみ構成体の刃渡り部の背部に、前記一対のはさみ構成体の刃渡り部間への髪の毛の進入を防ぐ防止体６０を備えた櫛４０を設けたことを特徴としている。
【００１３】
このため、別体のはさみと櫛を右手で一緒に持ったり、櫛を右手と左手に頻繁に持ち替えたり、指先を器用に操作してはさみと櫛を交互に使ったりする必要がなくなり、櫛を床に落としたり、櫛を交換したりする必要がなくなるばかりでなく、櫛４０で髪の毛をすくう時に防止体６０によって一対のはさみ構成体の刃渡り部間へ髪の毛の進入が防がれる。
【００１４】
また、本発明の請求項３の指間刈り用髪切りばさみでは、図５に示すように
回動自在に連結された一対のはさみ構成体１０、２０のうちの一方の前記はさみ構成体の刃渡り部の背部に、前記一対のはさみ構成体の刃渡り部間への髪の毛の進入を防ぐ屈曲部７２を備えた櫛７０を設けたことを特徴としている。
【００１５】
このため、別体のはさみと櫛を右手で一緒に持ったり、櫛を右手と左手に頻繁に持ち替えたり、指先を器用に操作してはさみと櫛を交互に使ったりする必要がなくなり、櫛を床に落としたり、櫛を交換したりする必要がなくなるばかりでなく、櫛７０で髪の毛をすくう時に屈曲部７２によって一対のはさみ構成体の刃渡り部間へ髪の毛の進入が防がれる。
【００１６】
また、本発明の請求項４の指間刈り用髪切りばさみでは、図６に示すように
回動自在に連結された一対のはさみ構成体１０、２０のうちの一方の前記はさみ構成体の刃渡り部の背部の内面に、櫛４０を設けたことを特徴としている。
【００１７】
このため、別体のはさみと櫛を右手で一緒に持ったり、櫛を右手と左手に頻繁に持ち替えたり、指先を器用に操作してはさみと櫛を交互に使ったりする必要がなくなり、櫛を床に落としたり、櫛を交換したりする必要がなくなるばかりでなく、櫛４０で髪の毛をすくう時に櫛４０そのものによって一対のはさみ構成体の刃渡り部間へ髪の毛の進入が防がれる。
【００１８】
また、本発明の請求項５の指間刈り用髪切りばさみでは、図７に示すように
回動自在に連結された一対のはさみ構成体のうちの一方の前記はさみ構成体の刃渡り部の背部に、櫛４０を設けると共に、この刃渡り部の背部の先端内面側に突出部２３ａを設けたことを特徴としている。
【００１９】
このため、別体のはさみと櫛を右手で一緒に持ったり、櫛を右手と左手に頻繁に持ち替えたり、指先を器用に操作してはさみと櫛を交互に使ったりする必要がなくなり、櫛を床に落としたり、櫛を交換したりする必要がなくなるばかりでなく、櫛４０で髪の毛をすくう時に突出部２３ａによって一対のはさみ構成体の刃渡り部間へ髪の毛の進入が防がれる。
【発明の効果】
【００２０】
このように本発明の指間刈り用髪切りばさみでは、片手ではさみを持ち、一方のはさみ構成体の刃渡り部の背部に設けられた櫛で髪の毛をすくい、この櫛ですくった髪の毛を反対の人差し指と中指で櫛の下側で挟むように持ち、この髪の毛から櫛をはずしてはさみで人差し指と中指で挟み持った髪の毛を切ればよい。従って、従来のように別体のはさみと櫛を片手で一緒に持ったり、櫛を右手と左手に頻繁に持ち替えたり、片手で櫛の位置を頻繁に移し替えたりする必要がなくなるので、櫛を床に落としたり、櫛を交換したりする必要がなくなり、櫛で髪をすくう際に髪の毛が一対の刃渡り部間に進入して引っかかることを防止できる。
【発明を実施するための最良の形態】
【００２１】
以下、図面に基づいて本発明の実施の形態を説明する。
図１、図２は本発明の一実施形態を示している。
【００２２】
図１、図２に示す指間刈り用髪切りばさみ１は、帯板状の一対のはさみ構成体１０、２０を備えていて、帯板状のはさみ構成体１０、２０はその中間部で密着状に重ねた状態で連結軸３０によって互いに回動自在に連結されている。はさみ構成体１０、２０はそれぞれ連結軸３０の一方側の端部に指を通すための環状部１１、２１を備え、連結軸３０の他方側には、内側に髪の毛を剪断するための刃渡り部１２、２２が設けられている。
【００２３】
一対のはさみ構成体１０、２０のうちの一方の、例えばはさみ構成体２０の刃渡り部２２の背部２３の外面には、背部２３の全長にわたって、あるいは全長ではなく一部に、図２に示すように櫛４０が刃渡り部２２と反対方向に向かって突出するように設けられていると共に、この櫛４０を矢印Ｂ方向に動かしたときに一対の刃渡り部１２、２２の間に髪の毛が進入するのを防ぐ防止体５０が設けられている。
【００２４】
防止体５０は図１、２に示すように断面Ｌ字状で櫛４０の横方向の全長あるいはそれより少し長いか短い長さであって、取付け部５１と防止部５２から成る。
この取付け部５１がはさみ構成体２０の背部２３の外面に取付けられ、さらに防止体５０の取付け部５１の上に重ねて櫛４０が取付けられている。
【００２５】
この取付け部５１及び櫛４０の取付けは、例えば図１及び図２に示すようにネジ５３を用いてもよく、あるいは櫛４０にピン（図示せず）を設け、取付け部５１及び背部２３に穴を設けてピンを穴にはめ込むようにしてもよい。なお、この関係を逆にして背部２３にピンを設けて取付け部及び櫛に穴を設けてピンを穴にはめ込むようにしてもよい。
【００２６】
あるいは、接着、溶接、スポット溶接、カシメ、その他の適宜手段で取付けてもよい。また、櫛４０及び防止体５０をはさみ構成体２０と一体的に設けてもよい。
【００２７】
なお、図３に示すように櫛４０の横方向の全長にあるいはそれより少し長いか短い長さの防止体５５を背部２３の端面２３ｂに固定して（例えばネジ５６で）下方へ防止体５５を突出させてもよい。
【００２８】
このように櫛４０を設けているので、右手の親指を指間刈り用髪切りばさみ１の環状部１１にいれ薬指を環状部２１にいれて指間刈り用髪切りばさみ１を持ったまま、一方のはさみ構成体２０の背部２３に設けられた櫛４０で髪の毛をすくい、この櫛４０ですくった髪の毛を反対の左手の人差し指と中指で櫛４０の下側で挟むように持ち、この髪の毛から櫛４０をはずし、交叉するはさみの刃渡り部１２、２２で人差し指と中指で挟み持った髪の毛を切ればよい。
【００２９】
従って、従来のように別体のはさみと櫛を右手で一緒に持ったり、櫛を右手と左手に頻繁に持ち替えたり、右手で櫛の位置を頻繁に移し替えたりする必要がなくなるので、櫛を床に落としたり、櫛を交換したりする必要がなくなる。
【００３０】
そして、櫛４０の下面側に防止体５０（５５）が設けてあって刃渡り部２２の背部２３の内面側へ突出しているため、櫛４０で髪をすくう際に髪の毛が一対のはさみ構成体１０、２０の刃渡り部１２、２２の間に進入するのが防止され、指間刈り中に髪の毛で引っかかることがなくなる。
【００３１】
図４は本発明の他の実施形態を示している。
この実施形態では、櫛４０の下面に防止体６０が櫛４０の長手方向に、櫛４０の全長あるいはそれより少し長いか短い長さで取付けられていて、櫛４０がはさみ構成体２０の刃渡り部２２の背部２３の外面に取付けられている。この防止体６０の櫛４０への取付け、櫛４０の背部２３の外面への取付けは、前記したのと同様にネジ止め、ピンのはめ込み、接着、溶接、スポット溶接その他適宜手段で行なえばよい。また、防止体６０を櫛４０と一体的に設けてもよい。
【００３２】
図４の実施形態でも、櫛４０の下面側に防止体６０が刃渡り部２２の背部２３の内面側へ突出しているため、櫛４０で髪をすくう際に髪の毛が一対のはさみ構成体１０、２０の刃渡り部１２、２２の間に進入するのが防止され、指間刈り中に髪の毛で引っかかることがなくなる。
【００３３】
図５は本発明の他の実施形態を示している。
この実施形態では、櫛７０は取付け部７１と屈曲部７２と櫛部７３とから成り、取付け部７１がはさみ構成体２０の刃渡り部２２の背部２３の外面に前記したのと同様の適宜手段で取付けられている。
【００３４】
この図５の実施形態でも、櫛７０の屈曲部７２が刃渡り部２２の背部２３の内面側へ突出しているため、櫛部７３で髪をすくう際に髪の毛が一対のはさみ構成体１０、２０の刃渡り部１２、２２の間に進入するのが防止され、指間刈り中に髪の毛で引っかかることがなくなる。
【００３５】
なお、特別の防止体を設けず、図６に示すように櫛４０がはさみ構成体２０の刃渡り部２２の背部２３の内面に前記したのと同様の適宜手段で取付けられている。但し、この場合、はさみを閉じた時、刃渡り部１２が櫛４０に接触しないようにはさみの背部２３を長くする。
【００３６】
このようにすれば、櫛４０そのものが刃渡り部２２の背部２３の内面側に位置しているため、櫛４０で髪をすくう際に髪の毛が一対のはさみ構成体１０、２０の刃渡り部１２、２２の間に進入するのが防止され、指間刈り中に髪の毛で引っかかることがなくなる。
【００３７】
また、図７に示すように櫛４０を刃渡り部２２の背部２３の外面に前記と同様の手段で取付けると共に、防止体として、櫛４０の全長あるいはそれより少し長いか短い長さの突出部２３ａを、背部２３の先端を内面側へ屈曲させて設けてもよく、あるいは背部２３の内面に接着、ネジ止めなどで、防止体としての突出部２３ａを設けてもよい。
このようにすれば、突出部２３ａが刃渡り部２２の背部２３の内面側へ突出しているため、櫛４０で髪をすくう際に髪の毛が一対のはさみ構成体１０、２０の刃渡り部１２、２２の間に進入するのが防止され、指間刈り中に髪の毛で引っかかることがなくなる。
【００３８】
以上、本発明の実施形態を説明したが、本発明の構成は前記実施形態の構成にのみ限定されるものではなく、本発明の要旨を逸脱しない範囲で種々の変形が可能なことは勿論であり、例えば、はさみは図１の形状に限らず、すきばさみ等でもよく、また、大きさも大小種々のものに適用できる。
【００３９】
なお、はさみ構成体２０でなく、はさみ構成体１０のほうに櫛、防止体などを設けてもよいことは勿論である。
【００４０】
また、理容店に限らず、美容室あるいは一般家庭、ペット美容室などにおいて用いるはさみにも適用できることは勿論である。
【図面の簡単な説明】
【００４１】
【図１】本発明の一実施形態を示す平面図
【図２】同実施形態の要部の断面図
【図３】本発明の他の実施形態の要部を示す断面図
【図４】本発明の他の実施形態の要部を示す断面図
【図５】本発明の他の実施形態の要部を示す断面図
【図６】本発明の他の実施形態の要部を示す断面図
【図７】本発明の他の実施形態の要部を示す断面図
【図８】一対のはさみ構成体を閉じた状態の説明図
【符号の説明】
【００４２】
１  指間刈り用髪切りばさみ
１０、２０  はさみ構成体
１２、２２  刃渡り部
２３  背部
２３ａ  突出部
３０  連結軸
４０  櫛
５０、５５、６０  防止体
７０  櫛
【図１】
2005198848.tif 000003
【図２】
2005198848.tif 000004
【図３】
2005198848.tif 000005
【図４】
2005198848.tif 000006
【図５】
2005198848.tif 000007
【図６】
2005198848.tif 000008
【図７】
2005198848.tif 000009
【図８】
2005198848.tif 000010